(57)【特許請求の範囲】
【請求項１】
培地に植えつけられる植物を栽培あるいは観賞するため、前記培地及び前記植物が内部に配置される植物栽培用容器であって、
前記培地及び前記植物を出入するための開口部を有し、前記開口部以外に通気孔を有さない本体と、
前記開口部に嵌合され、前記本体を密閉する栓体と、
を備え、
前記本体の一部または全部が、透明材より形成され、
前記開口部が、前記培地が配置される前記本体下部以外の部位に配設され、
前記栓体が、コルクより形成され、
前記本体の少なくとも上部または前部の一部が、２重に形成されて中間部に空間を有し、前記中間部に液体が充填されていることを特徴とする植物栽培用容器。
【請求項２】
培地に植えつけられる植物を栽培あるいは観賞するため、前記培地及び前記植物が内部に配置される植物栽培用容器であって、
前記培地及び前記植物を出入するための開口部を有し、前記開口部以外に通気孔を有さない本体と、
前記開口部に嵌合され、前記本体を密閉する栓体と、
を備え、
前記本体の一部または全部が、透明材より形成され、
前記開口部が、前記培地が配置される前記本体下部以外の部位に配設され、
前記栓体が、コルクより形成され、
前記本体の少なくとも上部または前部の一部が、他の部分に比して厚肉状に形成されていることを特徴とする植物栽培用容器。
【請求項３】
前記開口部が、前記本体の後部に配設され、
前記栓体上面に、鏡文字が配置され、
前記本体に、前記栓体より後方に位置するように鏡が立設され、
前記鏡に前記鏡文字が映るように構成されていることを特徴とする請求項１または２記載の植物栽培用容器。
【発明の詳細な説明】
【０００１】
【発明の属する技術分野】
本発明は、植物を栽培あるいは観賞するために使用される植物栽培用容器に関する。
【０００２】
【従来の技術】
従来、植物栽培用容器として知られているものに、特開平５−１２３０５４号公報に示すものがある。この植物栽培用容器は、図８に示すように、容器本体７１の上部及び下部に空気孔７３が設けられるとともに、底部に開口部７４が設けられており、開口部７４から培地７５及び植物７６を挿入した後、栓体７２を嵌合し容器本体７１を密閉している。
【０００３】
【発明が解決しようとする課題】
しかし、上記植物栽培用容器は、空気孔７３が設けられているため、外部の菌やウイルス、あるいはダニ等の虫が空気孔７３から侵入し、植物７６に病気や害虫が発生するという問題があった。
【０００４】
また、培地７５が配置されている底部に開口部７４が設けられているため、植物７６を他の植木鉢等に移植する場合には、容器本体７１を持ち上げつつ栓体７２を抜脱しなければならず、また、培地７５も共に取り出さなければならず、植物７６の移植が容易でないという問題もあった。
【０００５】
この発明は、上述した問題を解決するものであり、外部の菌や虫等が侵入する恐れがなく、植物の移植が容易な植物栽培用容器を提供することを目的とする。
【０００６】
【課題を解決するための手段】
本発明の植物栽培用容器は、培地に植えつけられる植物を栽培あるいは観賞するため、前記培地及び前記植物が内部に配置されるものであって、前記培地及び前記植物を出入するための開口部を有し、前記開口部以外に通気孔を有さない本体と、前記開口部に嵌合され、前記本体を密閉する栓体と、を備え、前記本体の一部または全部が、透明材より形成され、前記開口部が、前記培地が配置される前記本体下部以外の部位に配設され、前記栓体が、コルクより形成され、前記本体の少なくとも上部または前部の一部が、２重に形成されて中間部に空間を有し、前記中間部に液体が充填されていることを特徴とする。
【０００７】
また、本発明の植物栽培用容器は、培地に植えつけられる植物を栽培あるいは観賞するため、前記培地及び前記植物が内部に配置されるものであって、前記培地及び前記植物を出入するための開口部を有し、前記開口部以外に通気孔を有さない本体と、前記開口部に嵌合され、前記本体を密閉する栓体と、を備え、前記本体の一部または全部が、透明材より形成され、前記開口部が、前記培地が配置される前記本体下部以外の部位に配設され、前記栓体が、コルクより形成され、前記本体の少なくとも上部または前部の一部が、他の部分に比して厚肉状に形成されていることを特徴とする。
【０００８】
さらに、前記開口部が前記本体の後部に配設され、前記栓体上面に鏡文字が配置され、前記本体に前記栓体より後方に位置するように鏡が立設され、前記鏡に前記鏡文字が映るように構成されていることが好ましい。
【００１１】
ここで、少なくとも上部または前部の一部とは、少なくとも、上部の一部または前部の一部のいずれかを含むことを言う。
【００１２】
【発明の実施の形態】
以下、本発明の第１実施形態を図面に基づいて説明する。
【００１３】
本発明の第１実施形態である植物栽培用容器（以下、単に容器とも言う。）１は、図１及び図２に示すように、有底中空の瓶状の本体１１と、本体１１を密閉するための栓体１３と、を備えて構成されている。
【００１４】
本体１１は、内部が透視できるように、例えばポリカーボネート等の合成樹脂やガラス等の透明な材料で形成され、前面と後面とは平面状に、左右の側面は外方に向かってふくらむ曲面状に、下面は平面状に形成されている。また、上部は次第にすぼまって、上端部に円筒状の開口部１２が形成されている。なお、本体１１には、開口部１２以外に通気可能な孔は設けられていない。
【００１５】
栓体１３はコルクより形成され、開口部１２に嵌合可能な円柱状に形成されている。
【００１６】
以上のように構成された容器１の本体１１内部には、下部に培地Ｂが配置されるとともに、培地Ｂに植えられた植物Ｓが配置され、栓体１３が開口部１２に嵌合されて本体１１が密閉される。本体１１内部への培地Ｂ及び植物Ｓの配置、及び、本体１１の密閉は、以下に説明するように行う。
【００１７】
まず、養分（水分を含む）及びショ糖を混合したものに寒天を加えて作った培地Ｂを、本体１１内に注入する。このとき、染色液を加えて培地Ｂを着色してもよい。次に、培地Ｂが注入された本体１１と、栓体１３とを、滅菌装置（オートクレーブ）内に入れ、約１２０℃、３０分で滅菌する。なお、本体１１はプラスチック容器に入れ、栓体１３はビンに入れて滅菌する。そして、クリーンベンチ内で培地Ｂにウイルスフリーの植物Ｓを植付ける。植付け後、栓体１３をハンマーでたたいて開口部１２に嵌合し、本体１１を密閉する。ハンマーを用いるのは、直接、手で嵌合すると、栓体１３に菌が付着し、本体１１内に菌が侵入する恐れがあるためである。
【００１８】
以上のように、容器１内に植物Ｓを配置すると、容器１は透明材より形成されいるため、植物の生育に必要な光を通すことができる。なお、培地Ｂには植物に必要な養分及びショ糖が含まれているため、植物Ｓは、例えば蛍光灯の光（１０００〜３０００ルクス）程度の弱い光の下でも生育可能である。また、培地Ｂには水分が含まれているため、水遣りは不要である。
【００１９】
また、本体１１には開口部１２以外に通気孔がなく、栓体１３を開口部１２に嵌合することにより本体１１が密閉されるので、本体１１内に外部から菌や虫等が侵入することは不可能となる。したがって、病気や害虫により植物Ｓが被害を受ける恐れがなくなる。
【００２０】
さらに、栓体１３がコルクで形成されているため、コルクが元来有する微細な孔を通じて、僅かな空気が本体１１内を通る。したがって、空気により植物の成長を助けることができ、また、本体１１内が結露しにくくなる。なお、コルクの孔は微細であるため、菌や虫等が侵入することはない。
【００２１】
また、栓体１３が嵌合される開口部１２が、培地Ｂが配置されている本体１１の下部以外の部位（容器１では上端部）に設けられているため、植物Ｓを他の植木鉢等に移植する場合、本体１１を持ち上げる必要がなく、容易に栓体１３を抜脱し、植物Ｓのみを外部に取り出して移植することができる。
【００２２】
次に、本発明の第２実施形態である植物栽培用容器２について説明する。
【００２３】
容器２は、図３に示すように、本体２１が下面を平面状とする略半球状に形成されている。そして、円筒状の開口部２２が、本体２１の後部であって上端部より下位に、斜め上方に突出するように形成されている。そして、鏡２５が、栓体２３より後方に配置され、容器２の前方から見た場合に栓体２３に貼付されたネームプレート２４を映し出すように構成されている。
【００２４】
すなわち、図４に示すように、栓体２３の上面（本体２１に嵌合された場合に本体２１の外方に向かう面）２３ａには、植物Ｓの名前が鏡文字（左右が逆になった文字）で記載されたネームプレート２４（図５参照）が貼付されている。そして、鏡２５が、容器２の前方から見た場合にネームプレート２４を映し出す位置になるように、支持部材２６を介して本体２１に立設されている。容器２では、断面が略く字形状になるように折曲げられた板状の支持部材２６の下部が、本体２１の開口部２２の下方にあたる部位に固着され、支持部材２６の上部に鏡２５が固着されている。
【００２５】
以上のように構成された容器２内に、容器１と同様にして植物Ｓを配置すると、容器１と同様に、病気や害虫により植物Ｓが被害を受ける恐れがなくなり、また、空気により植物Ｓの生長を助けることができ、さらに、植物Ｓの移植が容易となるといった効果が得られる。
【００２６】
また、容器２では本体２１が略半球状に形成され、開口部２２が本体２１の上端部より下位に設けられているため、容器２の上方から見た場合に開口部２２や栓体２３が視界を妨げることなく、植物Ｓを観賞し易い。
【００２７】
さらに、容器２では開口部２２が本体２１の後部に配設され、鏡２５が栓体２３に貼付されたネームプレート２４上の鏡文字を映し出すため、前方から見た場合に鏡２５に正常な状態の文字が映し出される。したがって、容器２の正面から見た場合に、開口部２２や栓体２３が視界を妨げることなく植物を観賞し易くなるとともに、栓体２３に配置された植物Ｓの名前が見えなくなるという欠点が解消でき、植物Ｓの名前を読むことができる。
【００２８】
次に、本発明の第３実施形態である植物栽培用容器３について説明する。
【００２９】
容器３には、図６に示すように、本体３１と同一材料より形成されている半球状の補助部材３７が、本体３１との間に空間を有しつつ本体３１の上部から前部にかけての外面の一部を覆うように、本体３１に接着剤等で固着されている。また、補助部材３７の上部には、孔部３７ａが形成されており、補助部材３７と本体３１との間の空間には、水Ｗが充填されている。そして、孔部３７ａは透明材よりなるシール材３８で外側から閉塞されている。なお、容器３は、補助部材３７により上部から前部にかけての一部が２重構造とされている以外は、容器２と同様に構成されている。
【００３０】
以上のように構成された容器３内に、容器１と同様にして植物Ｓを配置すると、容器１と同様に、病気や害虫により植物Ｓが被害を受ける恐れがなくなり、また、空気により植物Ｓの生長を助けることができ、さらに、植物Ｓの移植が容易となるといった効果が得られる。
【００３１】
また、容器３の上方あるいは前方から見た場合に、水Ｗがレンズの役割をして内部の植物Ｓが大きく見える。また、２重構造となっている部分は外気に対して温度変化が少ない（温度が下がりにくい）ため、結露しにくい。したがって、結露に妨げられることなく植物Ｓを鑑賞することができる。
【００３２】
次に、本発明の第４実施形態である植物栽培用容器４について説明する。
【００３３】
容器４は、図７に示すように、本体４１の上部から前部にかけての円形部分４７が、他の部分に比して厚肉状に形成されている。容器４では、円形部分４７は、中央部が周辺部よりも厚い凸レンズ状に形成されている。なお、容器４は、円形部分４７を厚肉状としている以外は容器２と同様に構成されている。
【００３４】
以上のように構成された容器４内に、容器４と同様にして植物Ｓを配置すると、容器１と同様に、病気や害虫により植物Ｓが被害を受ける恐れがなくなり、また、空気により植物Ｓの生長を助けることができ、さらに、植物Ｓの移植が容易となるといった効果が得られる。
【００３５】
また、容器４の上方あるいは前方から見た場合に、円形部分４７がレンズの役割をして内部の植物Ｓが大きく見える。また、円形部分４７は外気に対して温度変化が少ないため、結露しにくい。したがって、結露に妨げられることなく植物Ｓを鑑賞することができる。
【００３６】
なお、容器１において前部の一部または全部を２重構造あるいは厚肉状としても、植物Ｓが大きく見えたり、２重構造あるいは厚肉状とした部分が結露しにくいといった効果が得られる。
【００３７】
また、容器２において鏡２５を設けない実施形態としても、容器２の上方から内部の植物Ｓを観賞し易いという効果は得られる。また、容器３または容器４において、鏡２５を設けない実施形態としても、植物Ｓが大きく見えたり、結露しにくいといった効果は得られる。
【００３８】
また、本体の形状も上記した実施形態に限られるものではなく、栓体を開口部に嵌合することにより密閉される形状であれば良い。すなわち、例えば、容器１において本体１１を半球状としたり、円筒状の開口部１２を本体１１の内方に突出させてもよい。また、本体の形状を、平面視において、楕円形状、四角形状、あるいは多角形状となるように構成したり、球状にして容器が倒れないように脚部材を配設してもよい。また、上記実施形態のように本体全部を透明とする形態でなくてもよく、例えば、本体の一部（例えば、培地Ｂが配置される下部以外の部分）のみ透明としてもよい。また、開口部や栓体の形状も上記実施形態に限られるものではない。さらに、栓体に鏡文字を配置する場合、ネームプレートを貼付する以外に、直接、栓体に鏡文字を記載することも可能である。
【００３９】
すなわち、特許請求の範囲を逸脱しない範囲で構成は自由に変更できる。
【００４０】
【発明の効果】
本発明の植物栽培用容器は、培地及び植物を出入するための開口部以外に、本体に通気孔がなく、コルクで形成された栓体が開口部に嵌合されて本体が密閉される。このため、コルクが元来有する微細な孔を通って、空気は容器内に入ることができるが、外部の菌や虫等は容器内に侵入できない。したがって、病気や害虫によって植物が被害を受ける恐れがなくなり、また、空気によって植物の生長を助けることができる。また、開口部が培地が配置される本体下部以外の部位に配設されているため、本体を持ち上げることなく容易に栓体を抜脱し、植物のみを外部に取り出して移植することができる。したがって、植物の移植が容易となる。
【００４１】
また、本体を下面を平面状とする略半球状に形成し、開口部を本体の上端部より下位に設ければ、容器の上方から見た場合に開口部や栓体が視界を妨げることなく、植物を観賞し易くなる。
【００４２】
また、開口部を本体の後部に配設し、鏡を栓体より後方に配置して、鏡が栓体に配置された鏡文字を映すように構成すれば、鏡に正常な状態の文字が映し出されるので、容器の前方から見た場合にも、開口部や栓体が視界を妨げることなく植物を観賞し易くなるとともに、栓体に配置された植物の名前等の文字が見えなくなるという欠点が解消でき、植物の名前等を読むことができる。
【００４３】
さらに、本体の少なくとも上部または前部の一部を、２重に形成して中間部に液体を充填したり、他の部分に比して厚肉状に形成すれば、容器の上方あるいは前方から見た場合に、２重構造の部分あるいは厚肉状の部分がレンズの役割をして内部の植物が大きく見える。また、２重構造の部分あるいは厚肉状の部分は外気に対して温度変化が少ないため、結露しにくい。したがって、結露に妨げられることなく植物を鑑賞することができる。
【図面の簡単な説明】
【図１】本発明の第１実施形態の平面図である。
【図２】図１のＩＩ−ＩＩ部位の断面図である。
【図３】本発明の第２実施形態の正面図である。
【図４】図３のＩＶ−ＩＶ部位の断面図である。
【図５】本発明の第２実施形態におけるネームプレートの正面図である。
【図６】本発明の第３実施形態の断面図である。
【図７】本発明の第４実施形態の断面図である。
【図８】従来の植物栽培用容器を示す正面図である。
【符号の説明】
１、２、３、４…植物栽培用容器
１１、２１、３１、４１…本体
１２、２２、３２、４２…開口部
１３、２３、３３、４３…栓体
２４…ネームプレート
２５…鏡
【図１】
0004011280.tif 000002
【図２】
0004011280.tif 000003
【図３】
0004011280.tif 000004
【図４】
0004011280.tif 000005
【図５】
0004011280.tif 000006
【図６】
0004011280.tif 000007
【図７】
0004011280.tif 000008
【図８】
0004011280.tif 000009